(57)【特許請求の範囲】
【請求項１】
走行機体(1) の車体フレーム(3) 前端部に取付けたバンパー(50)の後側にバッテリー(51)を収容すべく構成した農作業機において、車体フレーム(3) の前端部に取付けた背板(63)と後底板(62)よりなる略Ｌ字形状のバッテリーケース後半部(64r) と、バンパー(50)の後側面に取付けた略Ｌ字形状のバッテリーケース前半部(64f) とでバッテリーケース(64)を構成し、バッテリーケース後半部(64r) の背板(63)の上端縁を前方に屈折してストッパー部(65)を形成して、同ストッパー部(65)をバッテリーケース後半部(64r) に収容したバッテリー(51)の上面後端縁に係合せしめることを特徴とする農作業機のバッテリー装着構造。
【請求項２】
前記バッテリーケース前半部(64f) の左右側面から斜め後下方に延出した左右枢着部(59)(59)を形成し、同左右枢着部(59)(59)を、前記バッテリーケース後半部(64r) の後底板(62)の下方に横架した枢軸(69)に回動自在に枢着し、前記バッテリーケース前半部(64f) の内部に弾性部材(58)を取付けて、同弾性部材(58)で前記バッテリーケース(64)に収容した前記バッテリー(51)を後方向に押圧すべく構成したことを特徴とする請求項１に記載の農作業機のバッテリー装着構造。
【発明の詳細な説明】
【０００１】
【産業上の利用分野】
本発明は農作業機のバッテリー装着構造に関する。
【０００２】
【従来の技術】
従来、田植機等の農作業機では、走行機体の前端部に装着したバンパーの後側にバッテリーを装着するようにしたものがあり、かかるバッテリー装着構造は、図４で示すように、車体フレームａの前端に側面視略Ｌ字形状のバッテリーケースｂを取付け、同バッテリーケースｂの下方に枢軸ｄを横架し、同枢軸ｄにバンパーｅの後面から斜め後下方向に延出した枢着部ｆの下端部を回動自在に枢着して、バッテリーケースｂの前方を閉塞及び開放可能にして、バッテリーｇの着脱及び固定を容易にしたものがある。
【０００３】
そして、バンパーｅの後面上部に板バネｈを取付けて、バッテリーｇの上面前端縁を斜め後下方向に押圧して、バッテリーｇが上方に移動しないようにしている。
【０００４】
【発明が解決しようとする課題】
ところが、上記バンパーｅを回動させるときに、板バネｈがステップｊの下端縁に干渉しないようにするためには、バッテリーｇの装着位置を低くする必要があり、そのため、バッテリーｇの地上高が小さくなって、バッテリーｇを畦に衝突させたり、バッテリーｇが泥水を浴びたりすることがあり、保守の面で問題があった。
【０００５】
また、バッテリーｇの上方移動を抑制するのが、上記板バネｈだけであるので、車体の動揺等によって、バッテリーｇが浮上がるおそれがあった。
【０００６】
【課題を解決するための手段】
本発明は、走行機体の車体フレーム前端部に取付けたバンパーの後側にバッテリーを収容すべく構成した農作業機において、車体フレームの前端部に取付けた背板と後底板よりなる略Ｌ字形状のバッテリーケース後半部と、バンパーの後側面に取付けた略Ｌ字形状のバッテリーケース前半部とでバッテリーケースを構成し、バッテリーケース後半部の背板の上端縁を前方に屈折してストッパー部を形成して、同ストッパー部をバッテリーケース後半部に収容したバッテリーの上面後端縁に係合せしめることを特徴とする農作業機のバッテリー装着構造を提供せんとするものである。
【０００７】
また、前記バッテリーケース前半部の左右側面から斜め後下方に延出した左右枢着部を形成し、同左右枢着部を、前記バッテリーケース後半部の後底板の下方に横架した枢軸に回動自在に枢着し、前記バッテリーケース前半部の内部に弾性部材を取付けて、同弾性部材で前記バッテリーケースに収容した前記バッテリーを後方向に押圧すべく構成したことにも特徴を有する。
【０００８】
【実施例】
本発明の実施例を図面を参照して説明する。
【０００９】
図１は本発明に係るバッテリー装着構造を具備した農作業機の一例としての乗用田植機を示し、図中、１は作業者が搭乗する走行機体であり、エンジン２を車体フレーム３の前部上方に搭載し、ギヤ変速ケース４の前方にフロントアクスルケース５を介して前輪６を支持すると共に、前記ギヤ変速ケース４の後部にリアアクスルケース７を連設し、同リアアクスルケース７に後輪８を支持している。そして、前記エンジン２等を覆うボンネット９の両側に予備苗載台１０を取付けると共に、ステップ１１を介して作業者が搭乗する車体カバー１２によって前記ギヤ変速ケース４等を覆い、前記車体カバー１２の上部に運転席１３を取付け、その運転席１３の前方で前記ボンネット９の後部に走行ハンドル１４を設けている。
【００１０】
また、図中１５は、６条植え用の苗載台１６並びに複数の植付爪１７などを具備する植付部であり、前高後低の苗載台１６を下部レール１８及びガイドレール１９を介して植付けケース２０に左右往復摺動自在に支持すると共に、一方向に等速回転するロータリーケース２１を前記植付けケース２０に支持させ、該ケース２１の回転軸芯を中心とした対称位置に、一対の爪ケース２２，２２  を配設し、同爪ケース２２，２２  の先端に植付爪１７，１７  を取付けている。
【００１１】
また、前記植付けケース２０の前側にローリング支点軸２３を介して支持フレーム２４を連結し、同支持フレーム２４をトップリンク２５及びロワーリンク２６等よりなる三点リンク機構２７を介して走行機体１の後側に連結し、上記リンク機構２７のロワーリンク２６に昇降シリンダ２８を連結して、植付部１５を昇降作動させるようにしており、かかる構成によって、走行機体１の前後輪６，８  の駆動により走行しながら、左右に往復摺動する苗載台１６から一株分の苗を植付爪１７によって取りだし、連続的に植付作業を行うようにしている。
【００１２】
図中、２９は左右ブレーキペダル、３０はセンターフロート、３１はサイドフロート、３２は側条施肥機である。
【００１３】
かかる乗用田植機の左右車体フレーム３の前方には、図２で示すように、走行機体１の前部と左右前端隅部とを囲繞したバンパー５０が配設されており、同バンパー５０の後方にバッテリーケース６４を設けて、バッテリー５１を取出し自在に収納しており、バッテリーケース６４は、バッテリーケース前半部６４ｆ  とバッテリーケース後半部６４ｒ  とで構成されている。
【００１４】
バッテリーケース前半部６４ｆ  は、図２及び図３で示すように、バンパー５０の背面にはバンパー支持体５２を固着しており、同バンパー支持体５２は、バンパー５０後面の左右側に、断面が後方開口略コ字形状の左右バンパー取付板５３，５３  を横方向に固着し、同左右バンパー取付板５３，５３  の間に前板５４と左右側板５５．５５  よりなる平面形が後方向開口略コ字形板状のバッテリー押圧部５６を架設して、左右側板５５．５５  でバッテリー５１を挟持させ、上記左右側板５５．５５  の下端縁間にバッテリー５１の前半部を下方から支持するための前底板５７を架設してバッテリーケース前半部６４ｆ  を形成しており、前板５４の後面上部には、弾性部材５８としての側面視で略く字形状に屈折した板バネを取付けて、バッテリー５１を後方向に押圧するようにしており、特に、上記弾性部材５８の上端を前板５４の上端よりも低位置にしている。
【００１５】
また、上記左右側板５５．５５  の下部外側縁から斜め後下方向に延出した左右枢着部５９，５９  を形成している。
【００１６】
一方、バッテリーケース後半部６４ｒ  は、図２及び図３で示すように、左右車体フレーム３，３  の前端部内側面間に略丸パイプ状のクロスメンバー６０を架設し、同クロスメンバー６０から斜め前上方向に、断面が下方開口略コ字形状の左右バッテリー支持フレーム６１，６１  を突設し、左右バッテリー支持フレーム６１，６１  の間に後底板６２と、同後底板６２の後端縁に立設した背板６３よりなる側面視略Ｌ字形状のバッテリーケース後半部６４ｒ  を架設しており、上記後底板６２の前後幅を、バッテリー５１の前後幅の約１／２  として、バッテリー５１の後半部を下方から支持せしめ、背板６３の上端縁を前方向に屈折させてストッパー部６５を形成し、同ストッパー部６５を上記バッテリー５１の上面後端縁に係合させている。６６は緩衝部材としてのエッジゴムである。
【００１７】
上記のように、バッテリーケース６４は、バッテリーケース前半部６４ｆ  とバッテリーケース後半部６４ｒ  とで構成されており、特に、弾性部材５８の上端を前板５４の上端よりも低位置にしているので、弾性部材５８が車体前部を覆うステップ１１下端に干渉せず、したがって、バッテリーケース６４にバッテリー５１を収容したとき、同バッテリー５１上面を、上記ステップ１１下端と略同一高さにすることができることから、バッテリーケース６４下端部の地上高を大きくすることができる。
【００１８】
また、上記後底板６２と背板６３の左右側縁中途部の間に、前低後高に傾斜した左右補強板６７，６７  を取付け、同補強板６７，６７  の下端部を斜め前下方向に延出させてそれぞれ左右枢軸取付部６８，６８  を形成し、同左右枢軸取付部６８，６８  にそれぞれ枢軸６９を介してバンパー支持体５２の左右枢着部５９，５９  を回動自在に装着している。
【００１９】
かかる構成によって、上記枢軸６９が上記後底板６２よりも下方に位置することになり、枢軸６９を中心としてバンパー５０を前方に回動させると、バッテリーケース前半部６４ｆ  が完全に開放することになる。
【００２０】
また、左右車体フレーム３，３  の前端部左右外側面から前方向に左右サブフレーム７０，７０  を突設し、同左右サブフレーム７０，７０  の前端部外側面に、それぞれ斜め前上方向の左右締付金具７１，７１  の基部を固着すると共に、バンパー支持体５２の左右バンパー取付板５３，５３  の後面から斜め後下方向の左右フック７２，７２  を突設して、同左右フック７２，７２  と左右締付金具７１，７１  との係合により、バンパー５０を走行機体１の前端部に固定している。
【００２１】
かかる構成によって、左右フック７２，７２  と左右締付金具７１，７１  との係合により、バンパー５０を走行機体１の前端部に固定しているときは、バッテリーケース６４内に収容したバッテリー５１を、左右バッテリー支持フレーム６１，６１  と左右補強板６７，６７  とで左右から挟持し、バッテリーケース６４の後底板６２でバッテリー５１の後半部を下方から支持し、バッテリーケース前半部６４ｆ  の前底板５７でバッテリー５１の前半部下方から支持し、前板５４の後面に取付けた弾性部材５８でバッテリー５１を後方に押圧して、バッテリーケース後半部６４ｒ  の背板６３との間にバッテリー５１を挟持すると共に、同背板６３上端縁のストッパー部６５とバッテリー５１上面後端縁との係合によって、バッテリー５１の上方移動を阻止して、バッテリー５１をバッテリーケース６４内に確実かつ安定して保持することができる。
【００２２】
また、左右締付金具７１，７１  と左右フック７２，７２  の係合を解いて、バンパー５０を前方に回動させたときは、バッテリーケース前半部６４ｆ  が完全に開放するので、バッテリー５１を斜め下方向に傾けることによって、バッテリーケース６４へのバッテリー５１の着脱及び固定を容易にすることができる。
【００２３】
本発明の実施例は上記のような構成、作用、効果を有するものであるが、次のような請求項の予備項を挙げておく。
【００２４】
予備項１は、走行機体１の車体フレーム３前端部に取付けたバンパー５０の後側に設けたバッテリーケース６４にバッテリー５１を収容すべく構成した農作業機において、車体フレーム３の前端部に、略Ｌ字形状のバッテリーケース後半部６４ｒ  を取付けると共に、バンパー５０の後面に取付けたバッテリーケース前半部６４ｆ  にバッテリー５１の前半部を可能から支持する前底板５７を設けたことを特徴とする農作業機のバッテリー装着構造とするものである。
【００２５】
かかる構成によって、上記前底板５７によってバッテリー５１の前半部が下方から支持されて、バッテリーケース６４中に収容したバッテリー５１の安定が良くなるばかりでなく、バッテリー５１の前下隅角部を畦等の障害物から保護することができる。
【００２６】
また、図２及び図３で示すように、バンパー５０の前面中央部に孔７３を形成し、同孔７３からバッテリー押圧部５６の前板５４の前側面に突設した前方開口略Ｕ字形状のセンターマーカー取付部７４を前方向に突出させており、同センターマーカー取付部７４にボルト７５及びナット７６を介しセンターマーカー７７を着脱自在に取付けており、かかる構成によって、センターマーカー７７の取付構造を簡単にすることができる。
【００２８】
【発明の効果】
本発明によれば、請求項１の構成、すなわち、走行機体の車体フレーム前端部に取付けたバンパーの後側にバッテリーを収容すべく構成した農作業機において、車体フレームの前端部に取付けた背板と後底板よりなる略Ｌ字形状のバッテリーケース後半部と、バンパーの後側面に取付けた略Ｌ字形状のバッテリーケース前半部とでバッテリーケースを構成し、バッテリーケース後半部の背板の上端縁を前方に屈折してストッパー部を形成して、同ストッパー部をバッテリーケース後半部に収容したバッテリーの上面後端縁に係合せしめることによって、バッテリーの着脱作業を阻害することなくバッテリーの上方移動を確実に阻止することができる。
【００２９】
また、請求項２の構成、すなわち、前記バッテリーケース前半部の左右側面から斜め後下方に延出した左右枢着部を形成し、同左右枢着部を、前記バッテリーケース後半部の後底板の下方に横架した枢軸に回動自在に枢着し、前記バッテリーケース前半部の内部に弾性部材を取付けて、同弾性部材で前記バッテリーケースに収容した前記バッテリーを後方向に押圧すべく構成したことによって、バンパーを所定位置に固定したときは、バッテリーケースの後底板でバッテリーの後半部を下方から支持すると共に、バンパーの後面に取付けた弾性部材とバッテリーケースの背板との間にバッテリーを挟持して、バッテリーケース内にバッテリーを安定して固定することができる。
【００３０】
また、バンパーを前方に回動させたときは、バッテリーケース前半部が完全に開放するので、バッテリーを斜め下方向に傾けることによって、バッテリーケースへのバッテリーの着脱及び固定を容易にすることができる。
【図面の簡単な説明】
【図１】本発明に係る側条施肥機を具備した乗用田植機の側面説明図。
【図２】バッテリー装着構造を示す平面説明図。
【図３】バッテリー装着構造を示す側面説明図。
【図４】従来バッテリー装着構造を示す側面説明図。
【符号の説明】
１  走行機体
３  車体フレーム
１１  ステップ
５０  バンパー
５１  バッテリー
５２  バンパー支持体
５４  前板
５８  弾性部材
５９  左右枢着部
６２  後底板
６３  背板
６４  バッテリーケース
６４ｆ  バッテリーケース前半部
６４ｒ  バッテリーケース後半部
６５  ストッパー部
６９  枢軸
【図１】
0003561291.tif 000002
【図２】
0003561291.tif 000003
【図３】
0003561291.tif 000004
【図４】
0003561291.tif 000005